(57)【要約】【課題】本発明は、複数のディスクを複数の頁にわたって収納し、見開き頁を開いたまま何かで押えることなく自然に維持できるディスクケースを提供する。【解決手段】ディスクケース１ａは、一続きに連続する紙面に一対の見開き頁２１ａ，２１ａを構成する見開き頁対２１と、少なくとも１枚のディスク１００を収納する厚みを有し見開き頁対２１の各頁２１ａの裏面に貼り付けられる裏当部材２２と、見開き頁対２１を平坦に開いた状態で見開き頁対２１の折目２１ｂ側の裏当部材２２の背側端２２ａどうしの間に隙間Ｃを構成するべく少なくとも一方の背側端２２ａに形成される逃部２４と、見開き頁対２１の少なくとも一方の頁２１ａおよびこの頁２１ａに貼り付けられた裏当部材２２を貫通して形成されるディスク収納部１０とを備える。【選択図】      図１
2005271923.tif 000002
【特許請求の範囲】
【請求項１】
一続きに連続する紙面に一対の見開き頁を構成する見開き頁対と、
少なくとも１枚のディスクを収納する厚みを有し前記見開き頁対の各頁の裏面に貼り付けられる裏当部材と、
前記見開き頁対を平坦に開いた状態で前記見開き頁対の折目側の前記裏当部材の背側端どうしの間に隙間を構成するべく少なくとも一方の前記背側端に形成される逃部と、
前記見開き頁対の少なくとも一方の頁およびこの頁に貼り付けられた前記裏当部材を貫通して形成されるディスク収納部と
を備えることを特徴とするディスクケース。
【請求項２】
前記逃部は、互いに向き合う前記背側端が前記折目から前記裏当部材の厚み方向にテーパー状に広がる形状に形成されることにより構成されることを特徴とする請求項１に記載のディスクケース。
【請求項３】
前記逃部は、互いに向き合う前記背側端が前記折目から前記裏当部材の厚み方向に放物線状に広がる形状に形成されることにより構成されることを特徴とする請求項１に記載のディスクケース。
【請求項４】
背表紙を挟んで一対の表紙を有する表紙部材と、
前記裏当部材が貼り付けられた複数の前記見開き頁対をそれぞれ前記紙面と反対側の前記裏当部材の紙葉接合面で互いに貼り合せて構成されて前記背表紙側を中心に揺動する頁体とを備え、
前記表紙の内側面と前記頁体の外側の前記紙葉接合面とを貼り合せることを特徴とする請求項１に記載のディスクケース。
【請求項５】
背表紙を挟んで一対の表紙を有する表紙部材と、
隣り合わせに複数配置される見開き頁対の前記紙面と反対側の前記裏当部材の紙葉接合面どうしの間に前記ディスク収納部の底部を形成する仕切部材をそれぞれ挟んで前記見開き頁対どうしが貼り付けられて構成されて前記背表紙側を中心に揺動する頁体とを備え、
前記表紙の内側面と前記頁体の外側の前記紙葉接合面との間に前記仕切部材を挟んで貼り合せることを特徴とする請求項１に記載のディスクケース。
【請求項６】
背表紙を挟んで一対の表紙を有する表紙部材と、
前記裏当部材が貼り付けられた複数の前記見開き頁対をそれぞれ前記紙面と反対側の前記裏当部材の紙葉接合面で互いに貼り合せて構成されて前記背表紙側を中心に揺動する頁体と、
前記表紙部材の前記表紙の内側面と前記頁体の外側の前記紙葉接合面との間を接合する一続きに連続する見返し部材と
を備えることを特徴とする請求項１に記載のディスクケース。
【請求項７】
背表紙を挟んで一対の表紙を有する表紙部材と、
隣り合わせに複数配置される見開き頁対の前記紙面と反対側の前記裏当部材の紙葉接合面どうしの間に前記ディスク収納部の底部を形成する仕切部材をそれぞれ挟んで前記見開き頁対どうしが貼り付けられて構成されて前記背表紙側を中心に揺動する頁体と、
前記表紙部材の前記表紙の内側面と前記頁体の外側の前記紙葉接合面との間を接合する一続きに連続する見返し部材と
を備えることを特徴とする請求項１に記載のディスクケース。
【請求項８】
前記頁体は、少なくともいずれか１つの前記紙葉接合面どうしの間に、複数枚の紙葉を有する冊子を少なくとも１つ有することを特徴とする請求項４または請求項５に記載のディスクケース。
【請求項９】
前記頁体の外側の少なくとも一方の前記紙葉接合面と前記表紙部材の内側面との間に、複数枚の紙葉を有する冊子を少なくとも１つ有することを特徴とする請求項４または請求項５に記載のディスクケース。
【請求項１０】
前記ディスク収納部は、前記ディスクの外周と係合する爪を有するディスクトレイが装着されることを特徴とする請求項１殻請求項９のいずれか１項に記載のディスクケース。
【請求項１１】
前記ディスク収納部は、前記ディスクのセンタホールと係合するディスク保持具を備えることを特徴とする請求項５または請求項７に記載のディスクケース。
【請求項１２】
前記ディスク保持具は、前記ディスク収納部の底部に貼り付けられることを特長とする請求項１１に記載のディスクケース。
【請求項１３】
前記ディスク保持具は、前記ディスクのセンタホールに嵌るボスと、このボスの基部から前記ディスクの面に沿って広がる鍔とを有し、
前記仕切部材は、前記ディスク収納部の底部として見開き頁側に配置されて前記ボスが挿通されるボス孔を有する上層と、前記鍔の厚み以上の厚さを有するとともに前記見開き頁対と反対側から前記上層に貼り付けられて前記鍔の外周よりも大きい鍔孔を有する中層と、前記見開き頁対と反対側から前記中層に貼り付けられる下層とを有することを特徴とする請求項１１に記載のディスクケース。
【発明の詳細な説明】
【技術分野】
【０００１】
本発明は、少なくとも１枚のディスクを収納する頁を複数頁有するディスクケースに関する。
【背景技術】
【０００２】
コンパクトディスク（以降ＣＤとする）やデジタルビデオディスク（以降ＤＶＤとする）などを複数枚収納するディスクケースがある。中でも、ディスク収納部を紙材で形成するディスクケース（コンパクトディスクホルダー）がある（例えば、特許文献１参照。）。コンパクトディスクホルダーは、１枚以上のディスクを収納する頁を複数頁有している。この特許文献１には、収納頁を複数枚装丁してアルバム状に構成されているコンパクトディスクホルダーと、中間の頁（紙葉）となる収納頁の左右のいずれの面にもコンパクトディスク収納部を形成し、各収納頁の一面と同じ面積に形成された硬質板と仕切版とを収納頁と重ねて粘着しているコンパクトディスクホルダーとが開示されている。各頁は、１枚のディスクを収納する十分な厚みを有しており、全体では、分厚い本のような造りとなっている。
【特許文献１】登録実用新案３０８１６０４号公報
【発明の開示】
【発明が解決しようとする課題】
【０００３】
しかしながら、上述のようなディスクケースは、ディスクを収納するために頁が厚く作られており、その結果、１つの紙葉を構成する部材が分厚いものとなる。特許文献１の前者のようなコンパクトディスクホルダーの場合、各紙葉は、のど部に筋が入れられられて頁の厚みを薄くすることで頁を捲りやすくする工夫がなされることもあるが、筋を入れるだけでは、隣合う頁（紙葉）と干渉し合う。また、これらのディスクケースは、各紙葉が分厚く曲がりにくいため、開いた頁を何かで押えておかなければ自然に閉じてしまう。特に、ディスクを取り出すために一方の手でどちらかの頁を押えても、他方の頁が浮き上がる。つまり、見開きの左右の頁を同時に片手で抑えなければ、もう片方の手でＣＤやＤＶＤを取り出すことが困難である。
【０００４】
そして、利用者がディスクを取出すために各頁をしっかりと開こうとしても十分に開けないばかりか、隣り合う頁と干渉しているので無理に開こうとすることで筋を入れた箇所以外のところで曲がる。その結果、紙材である紙葉の厚さ方向に積層された部分が剥れたり、紙面が裂けたりするので、のど部を傷めてしまう。そして、紙材である紙面に印刷された文字や絵柄などの装飾を含め、特にのど部周辺の見栄えが悪くなる。
【０００５】
また、特許文献１の後者のコンパクトディスクホルダーの場合、左右の収納頁の裏面に貼られる硬質板が各頁を開いた状態で干渉してしまい、十分に開くことができない。これを無理に開こうとすると、隣合う頁ののど部に硬質板の干渉部を支点にてこの力が加わり、左右の頁がのど部で避けてしまう。特に、のど部の背側にキャラコ（布地）を貼り付けて補強する製本方法を採用すると、さらにのど部が分厚くなり、かえって見開き頁が平坦に開きにくくなる。
【０００６】
そこで、本発明は、複数のディスクを複数の頁にわたって収納し、見開き頁を開いたまま何かで押えることなく自然に維持できるディスクケースを提供することを目的とする。
【課題を解決するための手段】
【０００７】
本発明に係るディスクケースは、一続きに連続する紙面に一対の見開き頁を構成する見開き頁対と、少なくとも１枚のディスクを収納する厚みを有し見開き頁対の各頁の裏面に貼り付けられる裏当部材と、見開き頁対を平坦に開いた状態で見開き頁対の折目側の裏当部材の背側端どうしの間に隙間を構成するべく少なくとも一方の背側端に形成される逃部と、見開き頁対の少なくとも一方の頁およびこの頁に貼り付けられた裏当部材を貫通して形成されるディスク収納部とを備える。
【０００８】
または、本発明に係るディスクケースは、一続きに連続する紙面に一対の見開き頁を構成する見開き頁対と、少なくとも１枚のディスクを収納する厚みを有し見開き頁対の各頁の裏面に貼り付けられる裏当部材と、見開き頁対の少なくとも一方の頁およびこの頁に貼り付けられた裏当材を貫通して形成されるディスク収納部とを有し、見開き頁対を平坦に開いた状態で見開き頁対の折目側の裏当部材の背側端どうしの間に隙間を構成する逃部を少なくとも一方の背側端に形成する。
【０００９】
この場合、逃部は、互いに向き合う背側端が折目から裏当部材の厚み方向にテーパー状に広がる形状に形成することにより構成する。または、逃部は、互いに向き合う背側端が折目から裏当部材の厚み方向に放物線状に広がる形状に形成することにより構成する。
【００１０】
また、上製本の形態を備えるために、ディスクケースは、背表紙を挟んで一対の表紙を有する表紙部材と、隣り合わせに複数配置される見開き頁対の紙面と反対側の裏当部材の紙葉接合面どうしの間にディスク収納部の底部を形成する仕切部材をそれぞれ挟んで見開き頁対どうしが貼り付けられて構成されて背表紙側を中心に揺動する頁体と、表紙部材の表紙の内側面と頁体の外側の紙葉接合面との間を接合する一続きに連続する見返し部材とを備える。また、ディスクケースの印刷紙面を拡げるために頁体は、少なくともいずれか１つの紙葉接合面どうしの間、または、頁体の外側の少なくとも一方の紙葉接合面と表紙部材の内側面との間に、複数枚の紙葉を有する冊子を少なくとも１つ有することが好ましい。
【００１１】
ディスク収納部には、ディスクの外周と係合する爪を有するディスクトレイを装着するか、ディスクのセンタホールと係合するディスク保持具を備える。この場合、ディスク保持具は、ディスク収納部の底部に貼り付けるか、ディスクのセンタホールに嵌るボスと、このボスの基部からディスクの面に沿って広がる鍔とを有し、仕切部材を、ディスク収納部の底部として見開き頁側に配置されてボスが挿通されるボス孔を有する上層と、鍔の厚み以上の厚さを有するとともに見開き頁対と反対側から上層に貼り付けられて鍔の外周よりも大きい鍔孔を有する中層と、見開き頁対と反対側から中層に貼り付けられる下層とを有する構成にするとよい。
【発明の効果】
【００１２】
本発明のディスクケースによれば、各見開き頁どうしは、見開き頁対によって連結されている。ディスクケースは、いずれの見開きを開いても、開かれた見開きの折目を基点に開かれる。この結果、見開き頁を平坦に開く場合、開かれた頁の紙葉が他の紙葉と干渉することが無い。また、各頁の裏面に貼り付けられた裏当部材の背側端どうしは、見開き頁対を平坦に開いた状態で隙間を構成する逃部を有しているので、平坦に開いても互いに干渉することが無い。
【００１３】
つまり、このディスクケースは、各頁がディスクを収納する十分な厚みを有し、複数のディスクを複数の頁にわたって収納する場合にも、見開き頁を開いたまま何かで押えることなく自然に維持できる。したがって、ディスクを出し入れする場合や、各見開き頁に施される文字や絵柄などの装飾を観賞する場合など、利用者が煩わしさを感じることが無い。また、ディスクケースを開いた状態で、のど部に無理な負担がかからないので、のど部を傷めることも無い。
【００１４】
さらに、見開きを構成する頁どうしが一続きに連続した紙面であるので、隣合う頁同士での印刷の合わせなどを配慮した技術が不要である。したがって、片方の頁を越えるような見開き紙面の両頁にまたがる文字や絵柄などの装飾を施す場合でも、見栄えがよい。
【発明を実施するための最良の形態】
【００１５】
本発明に係る第１の実施形態のディスクケース１ａについて、図１から図１０を参照して説明する。ディスクケース１ａは、ＣＤ（コンパクトディスク）やＤＶＤ（デジタルビデオディスク）などのディスク１００を収納するディスク収納部１０を各見開きの両頁２１ａで少なくとも１つ、本実施形態においては、図１に示すように各頁２１ａに２つずつ、都合４つずつ備える。ディスクケース１ａは、紙材からなる表紙部材２と頁体２０と見返し部材３０とを備える。表紙部材２は、背表紙２ａを間に挟んで表紙２ｂを一続きに繋がる、いわゆる上製本と同じ造りを有している。
【００１６】
頁体２０は、複数の見開き頁対２１と、各頁２１ａの裏面に貼り付けられる裏当部材２２と、ディスク収納部１０と、ディスク収納部１０の底部１０ａ（図７〜１０参照）を形成する仕切部材２３とを備える。見開き頁対２１は、一続きに連続する紙面に一対の見開き頁２１ａ，２１ａを構成する。裏当部材２２は、数枚の厚紙（ボール紙）を貼り合せて作られ、少なくとも１枚のディスク１００を収納できる十分な厚みを有している。見開き頁対２１の折目２１ｂ側、つまり背表紙２ａ側となる裏当部材２２の背側端２２ａには、見開き頁対２１を図４に示すように平坦に開いた状態で、対向する背側端２２ａどうしの間に隙間Ｃを構成するべく逃部２４が形成されている。
【００１７】
この逃部２４は、互いに向き合う背側端２２ａが折目２１ｂから裏当部材２２の厚み方向にテーパー状に広がる形状に形成されることにより、構成されている。なお、逃部２４は、見開き頁対２１を平坦に開いた状態で背側端２２ａが干渉しなければよいので、背側端２２ａの少なくとも一方に形成されていればよい。逃部２４は、見開き頁対２１となる紙材に裏当部材２２となるボール紙を貼り付け、図５に示すようにＶ字形の溝を形成するように、折目２１ｂとなる部分の裏側のボール紙をＶ字形に切除することによって作られる。
【００１８】
ディスク収納部１０は、図６に示すように、見開き頁２１ａとこの見開き頁２１ａに貼り付けられている裏当部材２２とを貫通する型抜き成型によって形成される。なお、ディスク収納部１０の説明は、後述する。
【００１９】
仕切部材は、図２に示すように、隣り合わせに複数配置される見開き頁対２１の紙面（印刷面）と反対側に貼り付けられた裏当部材２２の紙葉接合面２２ｂどうしの間に挟まれ、それぞれと接着される。隣り合う見開き頁対２１どうしは、貼り合わされ、隣どうしの見開き頁対２１の一方の見開き頁対２１の遇数頁２１ａと他方の見開き頁対２１の奇数頁２１ａとによって１つの紙葉を形成する。また、仕切部材２３は、隣り合う見開き頁対２１で形成される紙葉の間に挟まれることによって、それぞれの頁２１ａに形成されるディスク収納部１０を仕切り、かつ、各ディスク収納部１０の底部１０ａを形成する。
【００２０】
以上のように構成される頁体２０は、逃部２４とディスク収納部１０とが形成された図５に示した状態の見開き頁対２１を、図中の矢印で示す方向に２つに折り曲げ、仕切部材２３と図６に示すように交互に複数積層して貼り合わされて作られる。その結果、各紙葉は、折目２１ｂ側、つまり背表紙２ａ側を基点に揺動する。
【００２１】
見返し部材３０は、中程で２つに折り曲げられており、一方の頁３１と他方の頁３１が一続きに連続している。頁体２０の両外側の紙葉接合面２０ｂには、見返し部材３０のそれぞれ対応する一方の頁３１が貼り付けられる。頁体２０の一番外側の頁２１ａに設けられるディスク収納部１０は、この見返し部材３０によって塞がれる。つまり、見返し部材３０の紙葉接合面２０ｂに貼り付けられる頁３１は、ディスク収納部１０の底部１０ａとしての機能を兼ねる。
【００２２】
見返し部材３０は、図６に示すように頁体２０に積層されて貼り付けられた状態で、三方断裁されることで外周縁の形状が頁体２０と同じ大きさに整えられる。見返し部材３０の他方の頁３１は、表紙部材２の表紙２ｂの内側面２ｃに貼り付けられる。つまり、見返し部材３０は、表紙部材２の表紙２ｂの内側面２ｃと頁体２０の外側の紙葉接合面２０ｂとの間を接合する。
【００２３】
各ディスク収納部１０には、ディスク１００を保持するために、図７に示すように、ディスクトレイ１１が取り付けられる場合と、ディスク保持具１２が取り付けられる場合とがある。なお、ディスク収納部１０の外周の一部には、ディスク収納部１０に装着したＣＤやＤＶＤなどのディスク１００を取出すために利用者が指を入れる切欠部１０ｂが設けられている。
【００２４】
ディスクトレイ１１は、図８に示すように縁部１１ａと底部１１ｂとが一体に成型された丸い盆形をしており、ディスク収納部１０に嵌め込まれる。縁部１１ａには、ディスク１００の外周１００ａと係合する爪１１ｃが数箇所、本実施形態においては３箇所形成されるとともに、ディスク収納部１０の切欠部１０ｂと合わさる位置に指掛部１１ｄが設けられている。なお、ディスクトレイ１１を装着する場合、ディスクトレイ１１自体が底部１１ｂを有しているので、仕切部材２３を採用しない場合でも対応することができる。また、ディスクトレイ１１自体は、合成樹脂で作られるので、仕切部材２３に薄い紙を使用してもディスク収納部１０の底部１０ａの剛性を十分に確保することができる。また、透明な合成樹脂を使用すると、仕切部材２３に印刷などの装飾をしたものが見えるので、見開き紙面の見栄えを向上させることができる。
【００２５】
ディスク保持具１２は、図９に示すように仕切部材２３に直接貼り付ける場合と、図１０に示すように仕切部材２３の間にディスク保持具１２を挟み込む場合とがあり、それぞれデザインなどに応じて選択される。いずれのディスク保持具１２もディスク１００のセンタホール１００ｂと係合する。
【００２６】
図１０に示すディスク保持具１２は、ディスク１００のセンタホール１００ｂに嵌るボス１２ａと、このボス１２ａの基部からディスク１００の面に沿って広がる鍔１２ｂとを有している。この場合、仕切部材２３は、上層２３ａと中層２３ｂと下層２３ｃの３層構造を有し、ディスク保持具１２の鍔１２ｂが仕切部材２３に挟まれる状態に組み立てられる。上層２３ａは、ディスク収納部１０の底部１０ａとして見開き頁２１ａ側に配置されてボス１２ａが挿通されるボス孔２３ｄを有する。中層２３ｂは、鍔１２ｂの厚み以上の厚さを有するとともに、見開き頁対２１と反対側から上層２３ａに貼り付けられて、鍔１２ｂの外周よりも大きい鍔孔２３ｅを有している。下層２３ｃは、見開き頁対２１と反対側から中層２３ｂに貼り付けられる。
【００２７】
以上のように構成されたディスクケース１ａは、見開きが一続きに連続した紙面で構成され、各頁２１ａの裏面に貼り付けられた裏当部材２２の背側端２２ａに逃部２４が設けられている。したがって、各見開き頁対２１を、図４および図７に示すように、何かで押えることなく平坦に１８０°に開いた状態を維持することができる。したがって、ディスク収納部１０に装着されたＣＤやＤＶＤなどのディスク１００を取り出す場合あるいは、ディスク収納部１０にディスク１００を収納する場合に利用者に煩わしさを感じさせることがない。
【００２８】
さらに、各頁２１ａは、紙で構成されているので、見開き紙面を印刷によって文字や絵柄で装飾することが容易であるとともに、見開き紙面が継ぎ目なく連続しているので、見開き紙面に渡って連続する文字や絵柄の見栄えもよい。
【００２９】
本発明に係る第２の実施形態のディスクケース１ｂについて、図１１および図１２を参照して説明する。なお、第１の実施形態に記載のディスクケース１ｂと同じ機能を有する構成については、同一の符号を付してその説明を省略する。
【００３０】
第１の実施形態のディスクケース１ａが背表紙２ａに沿って縦に２つのディスク収納部１０を各頁２１ａに備えていたことに対し、図１１に示すディスクケース１ｂは、背表紙２ａに対して離れる方向に２つのディスク収納部１０を並べて設けることのできる大きさを有している。また、第２の実施形態のディスクケース１ｂは、表紙部材２と頁体２０とを備え、第１の実施形態における見返し部材３０を有していない。
【００３１】
したがって、両外側の裏当部材２２の紙葉接合面２０ｂは、ディスク収納部１０の底部１０ａを形成するとともにこの底部１０ａに印刷による装飾を施すためにも仕切部材２３が貼り付けられて、表紙部材２の表紙２ｂの内側面２ｃに接着される。なお、ディスク収納部１０には、ディスクトレイ１１を装着した図を示したが、第１の実施形態において図９および図１０に示したディスク保持具１２を仕切部材２３に取り付けてもよい。
【００３２】
また、図１１に示された側の表紙２ｂの内側面２ｃと貼り付けられて一体に動く頁体２０の一番外側の頁２１ａには、ディスク収納部１０が１つ形成されている。そして、一番外側の頁２１ａと対になっている頁２１ａには、ディスク収納部１０が形成されていない。つまり、見開き頁対２１の一方の頁２１ａにディスク収納部１０が１つ形成されている状態である。残りの頁２１ａは、図１２に点線で示すように、第１の実施形態の図１で示したのと同様のディスク収納部１０が形成されている。また、各見開き頁対２１ａは、第１の実施形態と同じように、裏当部材２２の背側端２２ａに逃部２４が設けられている。
【００３３】
このように、第２の実施形態のディスクケース１ｂは、第１の実施形態のディスクケース１ａと同様に、何かで押えることなく、見開き紙面を１８０°に開いた状態で維持できるという効果を有する以外に、見開き頁対２１が直接表紙２ｂの内側面２ｃに貼り付けられるので、さらに、表紙部材２の剛性が高まるという効果を有する。
【００３４】
本発明に係る第３の実施形態のディスクケース１ｃについて、図１３から図１５を参照して説明する。なお、第１および第２の実施形態に記載のディスクケース１ａ，１ｂと同じ機能を有する構成については、同一の符号を付してその説明を省略する。
【００３５】
図１３に示すディスクケース１ｃは、表紙部材２と頁体２０と冊子４０とを備え、仕切部材２３と見返し部材３０とを備えていない。ディスク収納部１０を有する頁２１ａと直接貼り合わされる表紙２ｂは、ディスク収納部１０の底部１０ａを兼ねる。表紙２ｂは、見開き頁対２１と同様の材質で両面印刷可能なものを使用する。これにより、表紙部材２は、ディスク収納部１０の底部１０ａとして見開き紙面から見える部分に、この見開き紙面の頁２１ａと同じ装飾を施すことができる。
【００３６】
図１４に示すように、表紙２ｂと張り合わされた側と反対側の頁体２０の外側に配置される裏当部材２２の紙葉接合面２０ｂは、冊子４０と貼り合わされる。冊子４０は、複数の紙材が複数枚重ねられて２つ折にされたものである。紙葉接合面２０ｂと張り合わされた冊子４０の最外紙葉４１は、この最外紙葉４１と貼り合わされた頁２１ａに設けられるディスク収納部１０の底部１０ａを兼ねる。
【００３７】
また、各見開き頁対２１の裏当部材２２どうしの間に仕切部材２３を有していないので、この部分についても裏当部材２２の紙葉接合面２２ｂは、図１４に示すように直接張り合わされる。したがって、ディスク収納部１０は、底部１０ａを一体に備えるディスクトレイ１１を採用することとなる。ディスクトレイ１１の材料に透明な合成樹脂を使用すると、ディスクトレイ１１の底部１１ｂを通して隣り合う見開き頁対２１の紙面が見えるようになる。同様に、ディスクトレイ１１の材料に透明な合成樹脂を使用し、表紙２ｂに窓を設けると、表紙２ｂの外側からディスクトレイ１１の底部１１ｂを通して見開き頁対２１の紙面が見えるようになる。
【００３８】
なお、本実施形態において、第１および第２の実施形態のディスクケース１ａ，１ｂのように、仕切部材２３および見返し部材３０をそれぞれ設けてもよい。また、第３の実施形態の構成は、第１および第２の実施形態に応用することができる。
【００３９】
以上のように構成された、ディスクケース１ｃは、図１５に示すように、第１および第２の実施形態のディスクケース１ａ，１ｂと同様に、何かで押えることなく、見開き紙面を１８０°に開いた状態で維持できるという効果を有する以外に、冊子４０を備えるので、より多くの文字や絵柄などの装飾をディスクケースに施すことができる。特に、音楽ＣＤなどの歌詞カードを冊子４０としてつけることが好ましい。なお、冊子４０を挟む位置は、表紙部材２と頁体２０の間に限らず、隣り合う見開き頁対２１の裏当部材２２の間に設けてもよい。
【００４０】
本発明に係る第４の実施形態のディスクケース１ｄについて、図１６から図１８を参照して説明する。なお、第１から第３の実施形態に記載のディスクケース１ｄと同じ機能を有する構成については、同一の符号を付してその説明を省略する。また、全体の外観は、他の実施形態と同様であるので、図示することを省略し、他の実施形態と異なる部分を示すこととする。
【００４１】
図１６に示すディスクケース１ｄは、表紙部材２と頁体２０と見返し部材３０とを備える。表紙部材２と見返し部材３０については、第１の実施形態と同様である。頁体２０は、他の実施形態と同じ見開き頁対２１を備えるほかに、複数の紙葉からなる冊子５１を見開き紙面の側に挟んだ冊子付見開き頁対５０を備えている。本実施形態においては、冊子付見開き頁対５０は、頁体２０の一方の外側に面して設けられているが、頁体２０の中程に設けてもよい。
【００４２】
この冊子付見開き頁対５０の逃部５２は、図１８に示すように、冊子付見開き頁対５０の紙面を平坦に開いた状態で、互いに向き合う裏当部材２２の背側端２２ａが折目５０ａから裏当部材２２の厚み方向に放物線状に広がる形状に形成されることにより構成される。つまり、見開き頁対２１の逃部２４がＶ字型に形成されていたのに対し、冊子付見開き頁対５０の逃部５２は、折目５０ａとなる部分の裏側のボール紙をＵ字型に切除することで形成される。
【００４３】
図１８に示すように形成された冊子付見開き頁対５０は、図中の矢印に示す見開き紙面側に折り曲げる際に冊子５１を挟み込み、図１６に示す状態となる。そして、この冊子付見開き頁対５０は、他の見開き頁対２１と同様に図１７に示すように見開きとなる紙面を平坦に１８０°開いた状態で、何かで押えることなくこの状態を維持することができる。
【００４４】
なお、ディスク収納部１０には、ディスクトレイ１１またはディスク保持具１２が仕様に応じて選択されて装着される。また、この冊子付見開き頁対５０は、前述の第１から第３の実施形態のディスクケース１ａ，１ｂ，１ｃの頁体２０の一部として入れ替えて使用することが可能である。
【００４５】
本発明に係る第５の実施形態のディスクケース１ｅについて、図１９および図２０を参照して説明する。なお、第１から第４の実施形態に記載のディスクケース１ｅと同じ機能を有する構成については、同一の符号を付してその説明を省略する。また、全体の外観は、他の実施形態と同様であるので、図示することを省略し、他の実施形態と異なる部分を示すこととする。
【００４６】
図１９に示すディスクケース１ｅは、表紙部材と頁体２０とを備える。見返し部材３０は、備えておらず、表紙部材２と頁体２０との接合部は、第２および第３の実施形態に記載のディスクケースと同様に作られている。頁体２０は、見開き頁対２１と冊子付見開き頁対５０と仕切部材２３と冊子４０とを混在させている。本実施形態では、冊子４０を隣り合う見開き頁対２１の間に配置し、冊子付見開き頁対５０は、頁体２０の外側に面して配置されている。
【００４７】
本実施形態のディスクケース１ｅも、他の実施形態のディスクケース１ａ，１ｂ，１ｃ，１ｄと同様に、図２０に示すように、いずれの見開きとなる紙面を平坦に１８０°に開いた状態で、何かで押えることもなくこの状態を維持することができる。ディスク収納部１０には、ディスクトレイ１１またはディスク保持具１２が仕様に応じて選択されて装着される。
【００４８】
なお、いずれの実施形態においても、頁体２０は、見開き頁対２１、冊子付見開き頁対５０、仕切部材２３、冊子４０が、これらの中から適宜選択されて組み合わされるものであればよい。
【産業上の利用可能性】
【００４９】
本発明のディスクケースは、音楽や映像を収録したＣＤやＤＶＤを収納するほか、写真集、マニュアル本、動画を収録したＤＶＤを文集などとともに収める記念アルバムなどといったものに利用することが可能である。
【図面の簡単な説明】
【００５０】
【図１】本発明に係る第１の実施形態のディスクケースを示す斜視図。
【図２】図１に示したディスクケースを各部材に分解した平面図。
【図３】図１に示したディスクケースの背表紙および頁体の折目周辺の平面図。
【図４】図３に示したディスクケースの一つの見開き頁対を開いた状態の背表紙および頁体の折目周辺の図。
【図５】図１に示したディスクケースの見開き頁対を平坦に伸ばした状態の折目周辺の斜視図。
【図６】図１に示したディスクケースの分解斜視図。
【図７】図１に示したディスクケースの見開き頁対の一つを１８０°に開いた状態の斜視図。
【図８】図１に示したディスクケースのディスク収納部にディスクトレイを装着する状態の分解斜視図。
【図９】図１に示したディスクケースのディスク収納部の底部にディスク保持具を貼り付ける状態の分解斜視図。
【図１０】図１に示したディスクケースのディスク収納部の底部を構成する仕切部材の間にディスク保持具を取り付ける状態の分解斜視図。
【図１１】本発明に係る第２の実施形態のディスクケースを示す斜視図。
【図１２】図１１に示したディスクケースを分解して示す平面図。
【図１３】本発明に係る第３の実施形態のディスクケースを示す斜視図。
【図１４】図１３に示したディスクケースの背表紙および折目周辺の平面図。
【図１５】図１４に示したディスクケースの見開き頁対のひとつを１８０°に開いた状態を示す図。
【図１６】本発明に係る第４の実施形態のディスクケースの背表紙部および折目周辺を示す図。
【図１７】図１６に示したディスクケースの冊子付見開き頁対を１８０°に開いた状態を示す図。
【図１８】図１６に示したディスクケースの冊子付見開き頁対を平坦に伸ばした状態の折目周辺の斜視図。
【図１９】本発明に係る第５の実施形態のディスクケースの頁体を分解する平面図
【図２０】図１９に示したディスクケースの見開き頁対のひとつを１８０°に開いた状態を示す図。
【符号の説明】
【００５１】
１ａ，１ｂ，１ｃ，１ｄ，１ｅ…ディスクケース、２…表紙部材、２ａ…背表紙、２ｂ…表紙、２ｃ…内側面、１０…ディスク収納部、１０ａ…底部、１１…ディスクトレイ、１１ｃ…爪、１２…ディスク保持具、１２ａ…ボス、１２ｂ…鍔、２０…頁体、２０ｂ…紙葉接合面、２１…見開き頁対、２１ａ…頁、２２…裏当部材、２３…仕切部材、２３ａ…上層、２３ｂ…中層、２３ｃ…下層、２４…逃部、３０…見返し部材、４０…冊子、５０…冊子付見開き頁対、５１…冊子、５２…逃部、１００…ディスク、１００ａ…外周、１００ｂ…センタホール、Ｃ…隙間。
【図１】
2005271923.tif 000003
【図２】
2005271923.tif 000004
【図３】
2005271923.tif 000005
【図４】
2005271923.tif 000006
【図５】
2005271923.tif 000007
【図６】
2005271923.tif 000008
【図７】
2005271923.tif 000009
【図８】
2005271923.tif 000010
【図９】
2005271923.tif 000011
【図１０】
2005271923.tif 000012
【図１１】
2005271923.tif 000013
【図１２】
2005271923.tif 000014
【図１３】
2005271923.tif 000015
【図１４】
2005271923.tif 000016
【図１５】
2005271923.tif 000017
【図１６】
2005271923.tif 000018
【図１７】
2005271923.tif 000019
【図１８】
2005271923.tif 000020
【図１９】
2005271923.tif 000021
【図２０】
2005271923.tif 000022